(57)【要約】【課題】吹出口を通気可能に覆う保護部材を、吹出口に直接組付けることができ、保護部材の組付性を向上できる空気調和機と空気調和機の組立方法とを提供する。【解決手段】筐体と、筐体に収容された送風ファン及び熱交換器と、送風ファンからの空気を室内に吹き出すように筐体の下部に設けられた横方向Ｄ１に延びる吹出口１５と、吹出口１５を横切るように設けられた固定部２５と、固定部２５に空気の流れの下流側の端部から上流側に向けて凹んで設けられた溝部２６と、固定部２５の下流側に配置されて吹出口１５を通気可能に覆って溝部２６に挿入可能な横桟２１を有する保護部材２０と、溝部２６に挿入された横桟２１の移動を規制するように、保護部材２０の下流側から固定部２５に係止される係止部材３０と、を備えている。【選択図】図４
2018091505.tif 000002
【特許請求の範囲】
【請求項１】
筐体と、
前記筐体に収容された送風ファン及び熱交換器と、
前記送風ファンからの空気を室内に吹き出すように前記筐体の下部に設けられた横方向に延びる吹出口と、
前記吹出口を横切るように設けられた固定部と、
前記固定部に前記空気の流れの下流側の端部から上流側に向けて凹んで設けられた溝部と、
前記固定部の前記下流側に配置されて前記吹出口を通気可能に覆って前記溝部に挿入可能な桟を有する保護部材と、
前記溝部に挿入された前記桟の移動を規制するように、前記保護部材の前記下流側から前記固定部に係止される係止部材と、を備える空気調和機の室内機。
【請求項２】
前記保護部材は、前記桟として、前記横方向に延びて、該横方向に交差する縦方向に互いに離間して配置された弾性を有する棒状の複数の横桟を有し、
前記保護部材は、前記吹出口に前記縦方向に延びるように設けられたルーバの位置で前記縦方向に延びて配置されて前記複数の横桟を連結固定する棒状の縦桟をさらに有する請求項１に記載の空気調和機の室内機。
【請求項３】
前記縦桟は、前記横桟の前記上流側に配置されている請求項２に記載の空気調和機の室内機。
【請求項４】
前記固定部は、前記吹出口で前記横方向に交差する縦方向に延びて前記吹出口を補強するピラーである請求項１から３のいずれか一項に記載の空気調和機の室内機。
【請求項５】
前記溝部は、
前記下流側から前記上流側へ向けて幅が徐々に縮小する一対の傾斜案内面を有する縮小部と、前記縮小部より前記上流側に、該縮小部より拡幅して設けられ、前記桟を係止して収容可能な拡張収容部と、を有している請求項１から４のいずれか一項に記載の空気調和機の室内機。
【請求項６】
送風ファンからの空気を室内に吹き出すように筐体の下部に設けられた横方向に延びる吹出口に、固定部を前記横方向に交差する縦方向に設けるとともに、前記固定部に前記空気の流れの下流側の端部から上流側に向けて凹ませて溝部を設ける工程と、
前記吹出口を通気可能に覆う保護部材を前記固定部の前記下流側に配置して、前記保護部材の桟を前記溝部に前記下流側から挿入する工程と、
前記溝部に挿入された前記桟の移動を規制するように、前記保護部材の前記下流側から係止部材を前記固定部に係止する工程と、
を含む空気調和機の室内機の組立方法。
【発明の詳細な説明】
【技術分野】
【０００１】
本発明は、空気調和機の室内機及びその組立方法に関する。
【背景技術】
【０００２】
従来から、送風ファンからの空気を室内に吹き出すための吹出口を通気可能なファンガード等の保護部材により覆うことで、送風ファンへの触手を防止した空気調和機の室内機が知られている。このような保護部材は例えば特許文献１に開示されている。特許文献１に開示されたファンガード（保護部材）は、風向きを変更するための左右風向板を支持する左右風向板ベースに取付けられている。
【０００３】
また、従来の保護部材としては、例えば吹出口に縦に架渡して設けられたピラーに横方向に貫通する複数の孔を設け、この孔に複数の棒状部材を挿通させて組付けたものも知られている。
【先行技術文献】
【特許文献】
【０００４】
【特許文献１】特開２００５−１８８８７１号公報
【発明の概要】
【発明が解決しようとする課題】
【０００５】
しかしながら、特許文献１に開示されたような従来の室内機では、保護部材を左右風向板ベース等の他の部材に一旦取付けた後、さらに保護部材が取付けられた他の部材を吹出口に設置している。そのため組付のための作業工程が多くなり、保護部材の組付けに手間を要するという問題点がある。
また、ピラーを貫通する孔に棒状部材を挿通させて保護部材を構成する構造である場合にも、棒状部材を１本１本、ピラーの孔に挿通させる必要がある。よってこのような構造となっている場合にもやはり、保護部材の組付けに手間を要するという問題点がある。
【０００６】
そこで本発明は、吹出口を通気可能に覆う保護部材を、吹出口に直接組付けることができ、保護部材の組付性を向上できる空気調和機の室内機と、室内機の組立方法とを提供する。
【課題を解決するための手段】
【０００７】
本発明の第一の態様に係る空気調和機の室内機は、筐体と、前記筐体に収容された送風ファン及び熱交換器と、前記送風ファンからの空気を室内に吹き出すように前記筐体の下部に設けられた横方向に延びる吹出口と、前記吹出口を横切るように設けられた固定部と、前記固定部に前記空気の流れの下流側の端部から上流側に向けて凹んで設けられた溝部と、前記固定部の前記下流側に配置されて前記吹出口を通気可能に覆って前記溝部に挿入可能な桟を有する保護部材と、前記溝部に挿入された前記桟の移動を規制するように、前記保護部材の前記下流側から前記固定部に係止される係止部材と、を備えている。
【０００８】
このような室内機によれば、吹出口に設けられた固定部に、下流側から上流側に向けて凹ませた溝部が設けられ、この溝部に保護部材の桟を挿入できる。そのため吹出口を通気可能に覆う保護部材を吹出口の下流側に配置し、桟を吹出口の下流側から固定部の溝部に挿入することで、保護部材を直接吹出口の下流側の所定位置に容易に配置できる。
また溝部に挿入された桟の移動を規制するように、係止部材を保護部材の下流側から固定部に係止できる。そのため保護部材を吹出口の下流側に配置して桟を溝部に挿入した状態で、係止部材を固定部に係止することで、保護部材を吹出口に容易に支持させることができる。
【０００９】
また、本発明の第二の形態に係る空気調和機の室内機では、上記第一の態様において、前記保護部材は、前記桟として、前記横方向に延びて、該横方向に交差する縦方向に互いに離間して配置された弾性を有する棒状の複数の横桟を有し、前記保護部材は、前記吹出口に前記縦方向に延びるように設けられたルーバの位置で前記縦方向に延びて配置されて前記複数の横桟を連結固定する棒状の縦桟をさらに有していてもよい。
【００１０】
このように、複数の横桟が縦桟により連結固定されていれば、複数の横桟が所定間隔で配置されるとともに適度に弾性変形可能となる。そのため固定部の溝部に横桟を適度に弾性変形させつつ挿入することができ、保護部材の装着時の作業性を向上できる。
しかも縦桟が吹出口のルーバの位置に配置されているので、吹出口から吹き出される送風ファンからの空気の流れを阻害しない。
【００１１】
また、本発明の第三の形態に係る空気調和機の室内機では、上記第二の態様において前記縦桟は、前記横桟の前記上流側に配置されていてもよい。
このような空気調和機の室内機では、横桟の外側（下流側）に縦桟が配置されないため、保護部材の外側への突出部分を少なく抑えることができ、美観を向上できる。
【００１２】
また、本発明の第四の形態に係る空気調和機の室内機では、上記第一から第三のいずれかの態様において前記固定部は、前記吹出口で前記横方向に交差する縦方向に延びて前記吹出口を補強するピラーであってもよい。
【００１３】
このような室内機では、吹出口を補強するためのピラーを利用して保護部材を装着できる。このため、別途で固定部材を設ける必要がないため吹出口の構造が複雑になることを抑制でき、吹出口から吹き出される空気の流れを阻害し難くなる。
【００１４】
また、本発明の第五の形態に係る空気調和機の室内機では、上記第一から第四の態様において、前記溝部は、前記下流側から前記上流側へ向けて幅が徐々に縮小する一対の傾斜案内面を有する縮小部と、前記縮小部より前記上流側に、該縮小部より拡幅して設けられ、前記横桟を係止して収容可能な拡張収容部と、を有していてもよい。
このような室内機では、保護部材が下流側から挿入されると、複数の横桟が傾斜案内面により徐々に弾性変形して移動し、その後に拡張収容部で複数の横桟が復元して間隔を広げることで、拡張収容部に収容されて安定して配置される。このため保護部材の組付性をより向上できる。
【００１５】
さらに、本発明の第六の態様の空気調和機の室内機の組立方法は、送風ファンからの空気を室内に吹き出すように筐体の下部に設けられた横方向に延びる吹出口に、固定部を前記横方向に交差する縦方向に設けるとともに、前記固定部に前記空気の流れの下流側の端部から上流側に向けて凹ませて溝部を設ける工程と、前記吹出口を通気可能に覆う保護部材を前記固定部の前記下流側に配置して、前記保護部材の桟を前記溝部に前記下流側から挿入する工程と、前記溝部に挿入された前記桟の移動を規制するように、前記保護部材の前記下流側から係止部材を前記固定部に係止する工程と、を含んでいる。
【００１６】
このような室内機の組立方法によれば、吹出口の中間に固定部を設け、固定部に下流側から上流側に向けて凹ませた溝部を設け、保護部材を固定部の下流側に配置し、溝部に保護部材の桟を挿入する。そのため吹出口を通気可能に覆う保護部材を、直接吹出口の下流側の所定位置に容易に配置できる。
また溝部に挿入された桟の移動を規制するように、係止部材を保護部材の下流側から固定部に係止する。そのため吹出口の下流側の所定位置に配置した保護部材を容易に吹出口に設置することができる。
【発明の効果】
【００１７】
上記の空気調和機の室内機、及び空気調和機の室内機の組立方法によれば、吹出口を通気可能に覆う保護部材を、吹出口に直接組付けることができ、保護部材の組付性を向上することができる。
【図面の簡単な説明】
【００１８】
【図１】本発明の実施形態に係る空気調和機の室内機の横断面図である。
【図２】本発明の実施形態に係る室内機における保護部材の一部を示す斜視図であって、（ａ）は全体概要図を示し、（ｂ）は（ａ）のＸ部拡大図を示す。
【図３】本発明の実施形態に係る室内機における保護部材の装着状態を示す部分拡大図である。
【図４】本発明の実施形態に係る室内機における固定部に対する保護部材及び係止部材の係止状態を説明するための部分側面図である。
【図５】本発明の実施形態に係る室内機における固定部に対する係止部材の係止状態を説明するための固定部及び係止部材の部分断面図である。
【図６】本発明の実施形態に係る室内機の組立方法の手順を示すフロー図である。
【発明を実施するための形態】
【００１９】
空気調和機１００は、室内に設けられる室内機１０と、室内機１０に配管によって接続されて室外に設けられる室外機（不図示）とを備えている。
室内機１０は、空気を吸い込んで温度や湿度の調整を行った後に空気を吹き出し、室内の空気調和を行う。
以下、本発明の実施形態に係る室内機１０について説明する。
【００２０】
図１に示すように、室内機１０は横方向Ｄ１（紙面と直交する方向）に延びる横長形状に形成されている。室内機１０は、筐体１１と、筐体１１の内部に収容された送風ファン１４及び熱交換器１３と、筐体１１の下部に設けられた横方向Ｄ１に延びる吹出口１５とを備えている。
【００２１】
さらに室内機１０は、送風ファン１４への触手を防止するなどの目的で、吹出口１５の開口端１５ａの全体を通気可能に覆う保護部材２０と、保護部材２０を固定する固定部２５と、固定部２５に設けられて保護部材２０を挿入可能な溝部２６と、保護部材２０が溝部２６に挿入された状態で固定部２５に係止される係止部材３０とを備えている。
【００２２】
筐体１１は略直方体形状をなして、各種部品を収容可能となっている。
送風ファン１４は、横方向Ｄ１に延びるクロスフローファンである。
熱交換器１３は、送風ファン１４を外周から囲むように設けられている。
【００２３】
吹出口１５は、送風ファン１４からの空気を室内に吹き出すための横長の吹出口１５が下向き、斜め下向き、又は前向きに開設されている。吹出口１５には、図１及び図２に示すように、開口端１５ａよりも、吹出口１５から吹き出される空気Ａの流れの上流側に、風向きを左右に調整するルーバ１７が設けられている。ルーバ１７には、横方向Ｄ１に交差する縦方向Ｄ２に沿う羽板１７ａが、横方向Ｄ１に間隔を空けて複数配置されている。
詳細な図示は省略しているが、開口端１５ａの外側には停止時に開口端１５ａを外側から塞ぐとともに、稼働時には外側向きに回動して開口端１５ａを開放したり風向きを上下に調整したりするフラップ１２が設けられている（図１参照）。
【００２４】
図１に示すように、保護部材２０は、吹出口１５の下流側におけるルーバ１７とフラップ１２との間に配置されている。図２（ａ）に示すように保護部材２０は、横方向Ｄ１に延びる複数の横桟（桟）２１と、横方向Ｄ１と交差する縦方向Ｄ２に延びる複数の縦桟２２と、が結合した部材である。保護部材２０では、横桟２１は縦方向Ｄ２に互いに所定間隔をあけて略平行に複数設けられ、縦桟２２は横方向Ｄ１に互いに所定間隔をあけて略平行に複数設けられて、複数の横桟２１と複数の縦桟２２とが互いに直交して、横桟２１と縦桟２２との交点で連結固定されている。よって保護部材２０は、横桟２１及び縦桟２２により囲まれた多数の開口を有する網状（格子状）に形成されている。即ち、保護部材２０は吹出口１５に配置されるため、空気Ａの流れを阻害しない形状に形成されている。
【００２５】
また、各縦桟２２は、ルーバ１７の各羽板１７ａに対応する位置に縦方向Ｄ２に延びて配置されている。即ち、下流側から見て縦桟２２は羽板１７ａの端面と重なるように設けられている。また、図２（ｂ）に示すように縦桟２２は横桟２１の上流側に隣接して配置されている。
【００２６】
固定部２５は、吹出口１５で、互いに対向する内壁等の対向部位間に架渡されて、縦方向Ｄ２に延びるように設けられている。
固定部２５は、互いに対向部位間に架渡して固設されることで、吹出口１５を補強して変形を防止するためのピラーであってもよい。本実施形態では、図１及び図３に示すように固定部２５は平板状に形成されたピラーである。ピラーは、ルーバ１７の複数の羽板１７ａの間に横方向Ｄ１に間隔をあけて配置されている。
【００２７】
溝部２６は、図３から図５に示すように、固定部２５において、吹出口１５から吹き出される空気Ａの流れの下流側の端部から上流側に向けて切り欠き状に凹ませることで設けられている。溝部２６は各々の固定部２５（ピラー）に、縦方向Ｄ２に間隔をあけて複数設けられている。また各々の溝部２６には保護部材２０の横桟２１が挿入可能となっている。
【００２８】
溝部２６は、図４に示すように固定部２５の下流側の端部から上流側に向けて溝幅が徐々に縮小する縮小部２７と、縮小部２７の上流側で縮小部２７に連通して溝幅を縦方向Ｄ２に拡幅した拡張収容部２８と、を有している。
【００２９】
縦方向Ｄ２の中央に位置する溝部２６Ａの縮小部２７では、下流側の端部における開口が、一つの縮小部２７に挿入される隣接した二つの横桟２１の間隔とこれら二つの横桟２１の幅を加えた寸法より広く形成されている。また、縮小部２７は一対の傾斜案内面２９によって形成されている。対向する傾斜案内面２９の縦方向Ｄ２の間隔は、溝部２６Ａ（縮小部２７）の開口から漸減し、溝部２６Ａの奥部で隣接した横桟２１の幅より狭くなるように設けられている。
この縮小部２７では、横桟２１が下流側から上流側に向って移動することで、一対の傾斜案内面２９によって、同じ溝部２６Ａに挿入された隣接する横桟２１同士の間隔が狭くなるように、横桟２１を弾性変形可能としている。
【００３０】
縦方向Ｄ２の中央に位置する溝部２６Ａの拡張収容部２８は、縮小部２７の最奥部（最も上流側の端部）における傾斜案内面２９間の間隔より、縦方向Ｄ２の寸法が大きくなるように形成されている。即ち、拡張収容部２８は縮小部２７に連続して縦方向Ｄ２の両側に溝幅が拡開するように設けられている。拡張収容部２８の縦方向Ｄ２の溝幅寸法は、拡張収容部２８に収容される隣接する二つの横桟２１同士の間隔（弾性変形していない状態の間隔）とこれら二つの横桟２１の幅を加えた寸法と略同程度に形成されている。
この拡張収容部２８に向かって横桟２１が移動して収容されることで、保護部材２０の横桟２１の弾性変形が解除され、拡張収容部２８に保護部材２０の横桟２１が収容されて係止されるようになっている。
【００３１】
また、縦方向Ｄ２の中央に位置する溝部２６Ａ以外の溝部２６Ｂ（両端の溝部２６Ｂ）では、溝部２６Ａ側でのみ縮小部２７に傾斜案内面２９が設けられ、溝部２６Ａ側でのみ拡張収容部２８が設けられている。即ち、溝部２６Ｂは溝部２６Ａを縦方向Ｄ２の中央で分割した際の半分の部分と同一形状をなしている。
【００３２】
係止部材３０は、図３から図５に示すように、各々の固定部２５に着脱可能に設けられ、装着状態では固定部２５の溝部２６に挿入された保護部材２０の横桟２１の移動を規制するものである。
この係止部材３０は、固定部２５の溝部２６間に対応する位置に上流側に突出した係止部３１を有している。係止部３１は、図５に示すように、固定部２５の両面側から挟込むように横方向Ｄ１に離間して対向して一対が配置され、先端側に係止爪３２が設けられている。ここで、固定部２５の隣接する溝部２６間には、溝部２６の上流側の端部よりもさらに上流側（上方）に係止孔３３が設けられている。一対の係止部３１が弾性変形して互いに横方向Ｄ１に離間、近接することにより、係止爪３２が係止孔３３に係止可能となっている。
【００３３】
また係止部材３０は、固定部２５の溝部２６に対応する位置に、拡張収容部２８に収容された保護部材２０の横桟２１を支持するための支持部３４を有している。支持部３４は、溝部２６に応じた形状に設けられている。また、支持部３４は一対の係止部３１を下流側から支持してこれら一対の係止部３１と一体に設けられている。
【００３４】
そして係止部３１を固定部２５に係止させた状態で、支持部３４は溝部２６に収容された保護部材２０の横桟２１に当接して移動を規制可能な形状となっている。具体的には、本実施形態では、各々の係止部３１における下流側の端部に連続して、支持部３４に下流側に向って凹む略半円状の凹部３４ａが設けられている。そして、溝部２６に収容されて拡張収容部２８内に配置された横桟２１を、凹部３４ａの内面と固定部２５とで挟持することで、横桟２１の移動が規制される。
【００３５】
ここで、このような空気調和機１００の室内機１０は、上述のような保護部材２０を吹出口１５に組み付ける工程を有する組立方法（図６参照）により組立てることが可能である。
【００３６】
まず、溝部２６を設ける工程Ｓ１を実行する。即ち、吹出口１５にピラーとしての固定部２５（又はピラー以外の固定部２５）を設け、各固定部２５には下流側から上流側に向けて凹ませるように溝部２６を設ける。既存のピラーを切り欠くことで溝部２６を設けてもよいし、既存のピラーに代えて溝部２６を予め設けたピラーを取り付けてもよい。
【００３７】
そしてこの状態で、桟を挿入する工程Ｓ２を実行する。即ち、吹出口１５を覆うように保護部材２０を固定部２５の下流側に配置する。このとき図２に示すように、ルーバ１７の位置に縦桟２２が配置され、隣り合う縦桟２２の間の横桟２１が固定部２５の溝部２６の位置に配置されようにする。その後、図４に示すように、保護部材２０を上流側へ移動させて各々の溝部２６に保護部材２０の横桟２１を挿入する。
【００３８】
桟を挿入する工程Ｓ２では、さらに、保護部材２０を上流側へ押圧することで、横桟２１を溝部２６の縮小部２７内で上流側まで移動させる。この際、傾斜案内面２９により保護部材２０の横桟２１が案内されて弾性変形し、隣接する横桟２１同士の間隔が縮小する。そしてさらに保護部材２０の横桟２１を上流側に移動させ、横桟２１が拡張収容部２８に達すると、縮小部２７による横桟２１の弾性変形が解除されて横桟２１の間隔が広がり、各横桟２１が拡張収容部２８に収容される。
【００３９】
最後に係止部材を係止する工程Ｓ３を実行する。即ち、保護部材２０の横桟２１を各溝部２６に挿入した後、図４に示すように、係止部材３０を保護部材２０の下流側から固定部２５に係止するように対向させ、上流側へ移動させる。これにより固定部２５の溝部２６に挿入されていた保護部材２０の横桟２１の移動を、係止部材３０によって規制する。
【００４０】
以上のような本実施形態の空気調和機１００の室内機１０及びその組立方法によれば、吹出口１５に縦方向Ｄ２に延びて設けられた固定部２５に、下流側から上流側に向けて凹ませた溝部２６を設け、この溝部２６に保護部材２０の横桟２１が挿入されるようになっている。このため吹出口１５を通気可能に覆う保護部材２０を吹出口１５の下流側に配置し、横桟２１を吹出口１５の下流側から固定部２５の溝部２６に挿入することで、保護部材２０を直接吹出口１５の下流側の所定位置に容易に配置できる。
【００４１】
また溝部２６に挿入された横桟２１の移動を規制するように、係止部材３０を保護部材２０の下流側から固定部２５に係止している。そのため保護部材２０を吹出口１５の下流側に配置して横桟２１を溝部２６に挿入した状態で、係止部材３０を固定部２５に係止することで、保護部材２０を吹出口１５に容易に支持させて保護部材２０を吹出口１５に容易に直接組付けることができ、組付性を向上できる。
【００４２】
ここで、仮に横桟２１が拡張収容部２８まで到達せず縮小部２７内に位置している場合であっても、係止部材３０によって横桟２１を上流側に押しつつ、係止部材３０を固定部２５に係止させることで、容易に拡張収容部２８に横桟２１を収容することができる。
【００４３】
また、本実施形態では、棒状をなす横桟２１が所定位置で縦桟２２によって連結固定されているので、複数の横桟２１を所定間隔で配置できることや、複数の横桟２１を適度な強度で弾性変形させることが可能である。そのため固定部２５の溝部２６に、横桟２１を適度に弾性変形させて挿入でき、装着時の作業性を向上できる。
【００４４】
また縦桟２２が吹出口１５のルーバ１７に対応する位置に配置されているので、吹出口１５から吹き出される送風ファン１４からの空気Ａの流れを阻害してしまうことも抑制できる。
【００４５】
本実施形態の室内機１０では、縦桟２２が横桟２１の上流側に配置されていて、横桟２１の外側に縦桟２２が配置されない。そのため保護部材２０の外側（下流側）への突出部分を少なく抑えることができ、室内機１０の美観を向上できる。
【００４６】
本実施形態の室内機１０では、固定部２５が吹出口１５を補強するピラーであれば、吹出口１５を補強する部材を利用して、吹出口１５の保護部材２０を装着できる。このため、別途で溝部２６を設けた固定部２５を新たに吹出口１５に設ける必要がない。よって吹出口１５の構造が複雑になることを抑制でき、吹出口１５から吹き出される空気の流れを阻害し難い。
【００４７】
本実施形態の室内機１０では、溝部２６が縮小部２７と、縮小部２７より上流側に縮小部２７より拡幅した拡張収容部２８と、を有している。そのため保護部材２０の横桟２１を正面側（下流側、下方）から溝部２６に挿入すると、横桟２１が拡張収容部２８で下流側（下方）から固定部２５によって支持され、保護部材２０が重力等によって落下してしまうことがない。即ち、安定して保護部材２０を吹出口１５に設置することができる。
【００４８】
以上、本発明の実施形態について詳細を説明したが、本発明の技術的思想を逸脱しない範囲内において、多少の設計変更も可能である。
例えば、保護部材２０が複数個に分割された部材からなっていてもよい。
また、各々の横桟２１及び縦桟２２は弾性変形可能な丸棒状をなしている。しかし保護部材２０は、溝部２６に挿入可能な形状であれば、上述した形状に限定されることはない。例えば各々の横桟２１及び縦桟２２は角棒状をなしていてもよいし、複数の横桟２１のみが設けられていてもよい（この場合、縦桟２２に代えて複数の横桟２１同士を固定する固定部材が必要である）。
【符号の説明】
【００４９】
Ｄ１…横方向  
Ｄ２…縦方向  
１０…室内機  
１１…筐体  
１２…フラップ  
１３…熱交換器  
１４…送風ファン  
１５…吹出口  
１５ａ…開口端  
１７…ルーバ  
１７ａ…羽板  
２０…保護部材  
２１…横桟（桟）  
２２…縦桟  
２５…固定部  
２６（２６Ａ、２６Ｂ）…溝部  
２７…縮小部  
２８…拡張収容部  
２９…傾斜案内面  
３０…係止部材  
３１…係止部  
３２…係止爪  
３３…係止孔  
３４…支持部  
３４ａ…凹部  
１００…空気調和機  
Ｓ１…溝部を設ける工程  
Ｓ２…桟を挿入する工程  
Ｓ３…係止部材を係止する工程  
【図１】
2018091505.tif 000003
【図２】
2018091505.tif 000004
【図３】
2018091505.tif 000005
【図４】
2018091505.tif 000006
【図５】
2018091505.tif 000007
【図６】
2018091505.tif 000008